(57)【要約】【課題】  抄紙機ロールの表面から白水等の液体を回収するためのセーブオール装置の液体回収効率を高めること。【解決手段】  セーブオール装置２０は、ロール１０の下側においてロール幅方向に延びる樋２を備えており、この樋２のロール側の前端部分には、ロール幅方向に延びる閉鎖断面の排水路４が形成されている。排水路４の前板部分２２の前面はロール表面１０ａに沿って延びる円弧状の湾曲面２２ａとされ、ここには、前板部分２２を貫通して延びる多数の液体回収孔３が開口している。回転するロール１０の表面１０ａに付着している液体は、樋２に回収されると共に、液体回収孔３を介して排水路４にも回収される。よって、ロール表面１０ａに付着している液体を効率良く回収できる。【選択図】  図１
2006214022.tif 000002
【特許請求の範囲】
【請求項１】
抄紙機などのロールの表面に付着している白水等の液体を受け入れるための樋が形成され、当該樋を介して前記液体を回収するように構成されたセーブオール装置において、
前記樋における前記ロールの表面に対峙している側の部分に、前記ロールの幅方向に延びる閉鎖断面の排水路を形成し、
当該排水路における前記ロールの表面に対峙している前板部分の前面を、当該ロールの表面に沿って延びる湾曲面とし、
当該湾曲面に、前記前板部分を貫通して前記排水路に通じている複数の液体回収孔を形成したことを特徴とするセーブオール装置。
【請求項２】
請求項１において、
前記ロールの幅方向に配置され、前端が前記ロールの下側まで延びている底板部分と、
前記底板部分の前端から、前記ロールの表面に沿って所定の間隔をあけて上方に延びている円弧状の前記前板部分と、
前記底板部分の後端から上方に向けて延びている背板部分と、
前記底板部分における前記前板部分と前記背板部分の間から上方に延びている仕切り板部分と、
前記前板部分および前記仕切り板部分の上端を繋いでいる連結板部分とを有し、
前記背板部分、前記仕切り板部分、およびこれらの間の前記底板部分によって、前記連結板部分の上面に沿って流下する前記ロール表面からの液体を受け入れる前記樋が形成されており、
前記前板部分、前記仕切り板部分、これらの間の前記底板部分、および前記連結板部分によって、前記排水路が形成されていることを特徴とするセーブオール装置。
【請求項３】
請求項２において、
前記背板部分の上端から前記ロール表面に向かって延びる天板部分を有し、
当該天板部分によって、前記樋の上側には、前記ロール表面の側に開口した区画室が形成されていることを特徴とするセーブオール装置。
【請求項４】
請求項３において、
前記天板部分の前端部分に、前記ロールの表面に付着した紙滓等の異物を掻き落とすためのドクター装置が取り付けられていることを特徴とするセーブオール装置。
【請求項５】
請求項１ないし４のいずれかに記載のセーブオール装置を備えている抄紙機。
【発明の詳細な説明】
【技術分野】
【０００１】
本発明は、抄紙機などのロールの表面に付着している白水等の液体を回収するためのセーブオール装置に関するものである。
【背景技術】
【０００２】
抄紙機では、紙料の内部から水分を除去するために、例えば、ロールの表面に、矩形断面の環状溝がロール幅方向に一定のピッチで形成された構成のグルーブドロールが使用される。このロールに水分を含んだ紙料を通すと、当該ロールの押し付け力によって紙料の内部に含まれている水分が表面に押し出されて、ロール側の環状溝に吸引されて、紙料に含まれている水分が除去される。
【０００３】
このようなグルーブドロールの表面からパルプを含む水（以下、白水という）を回収するためのセーブオール装置では、従来、ロールの下側などに配置した樋のみで白水の回収を行っている。
【発明の開示】
【発明が解決しようとする課題】
【０００４】
本発明の課題は、このようなセーブオール装置における白水等の液体の回収能力を改善することにある。
【課題を解決するための手段】
【０００５】
上記の課題を解決するために、本発明は、抄紙機などのロールの表面に付着している白水等の液体を受け入れるための樋が形成され、当該樋を介して前記液体を回収するように構成されたセーブオール装置において、
前記樋における前記ロールの表面に対峙している側の部分に、前記ロールの幅方向に延びる閉鎖断面の排水路を形成し、
当該排水路における前記ロールの表面に対峙している前板部分の前面を、当該ロールの表面に沿って延びる湾曲面とし、
当該湾曲面に、前記前板部分を貫通して前記排水路に通じている複数の液体回収孔を形成したことを特徴としている。
【０００６】
本発明では、上記の樋および排水路を次のように構成することができる。すなわち、前記ロールの幅方向に配置され、前端が前記ロールの下側まで延びている底板部分と、前記底板部分の前端から、前記ロールの表面に沿って所定の間隔をあけて上方に延びている円弧状の前記前板部分と、前記底板部分の後端から上方に向けて延びている背板部分と、前記底板部分における前記前板部分と前記背板部分の間から上方に延びている仕切り板部分と、前記前板部分および前記仕切り板部分の上端を繋いでいる連結板部分とを有した構成とすることができる。この場合、前記背板部分、前記仕切り板部分、およびこれらの間の前記底板部分によって、前記連結板部分の上面に沿って流下する前記ロール表面からの液体を受け入れる前記樋が形成される。また、前記前板部分、前記仕切り板部分、これらの間の前記底板部分、および前記連結板部分によって、前記排水路が形成される。
【０００７】
本発明において、前記背板部分の上端から前記ロール表面に向かって延びる天板部分を有し、当該天板部分によって、前記樋の上側には、前記ロール表面の側に開口した区画室が形成されていることが望ましい。区画室によって、ロール表面からミスト状に飛散する液体も確実に回収でき、液体の回収能力をさらに上げることができる。
【０００８】
また、前記天板部分の前端部分に、前記ロールの表面に付着した紙滓等の異物を掻き落とすためのドクター装置が取り付けられていることが望ましい。ロール表面に付着している紙滓等の異物、およびロール表面に残っている液体を、ドクター装置によって取り除くことができる。
【０００９】
一方、本発明は抄紙機に関するものであり、上記構成のセーブオール装置を備えたことを特徴としている。本発明の抄紙機ではロール表面から液体を効率良く回収することができる。
【発明の効果】
【００１０】
本発明のセーブオール装置では、ロールの表面に沿ってその幅方向に延びる閉鎖断面の排水路を形成し、そのロール表面に対峙している前板部分の前面をロール表面に対応した湾曲面とし、当該湾曲面に多数の液体回収孔を形成し、ロール表面に付着している液体を、これらの液体回収孔を介して、排水路に回収するようにしている。
【００１１】
ロールの表面に対峙している湾曲面に形成した多数の液体回収孔を介して、ロール表面に付着している液体を効率良く回収することができる。
【発明を実施するための最良の形態】
【００１２】
以下に、図面を参照して、本発明の実施の形態を説明する。
【００１３】
（全体構成）
図１（ａ）および（ｂ）は、本発明を適用した抄紙機を示す概略構成図、およびそのセーブオール装置の一部を拡大して示す説明図である。これらの図に示すように、抄紙機１は、グルーブドロール１０とセーブオール装置２０とを有している。
【００１４】
グルーブドロール１０としては、周知のものを使用できるので、その詳細な説明は省略するが、そのロール表面１０ａには、矩形断面の環状溝（図示せず）がロール幅方向に一定のピッチで形成されている。このロール１０に、水分を含んだ紙料Ｐを通すと、当該ロール１０の押し付け力によって紙料Ｐの内部に含まれている水分が表面に押し出されて、ロール側の環状溝に吸引されて、紙料Ｐに含まれている水分が除去される。
【００１５】
（セーブオール装置２０）
セーブオール装置２０は、グルーブドロール１０の表面１０ａから、遠心力などによってその外側に排出される白水等の液体を回収するための装置であり、前端がグルーブドロール１０の下側まで延びている底板部分２１と、この底板部分２１の前端から、ロール表面１０ａに沿って所定の間隔をあけて上方に延びている湾曲面２２ａを備えた円弧状の前板部分２２と、底板部分２１の後端からほぼ垂直に上方に延びている背板部分２３と、底板部分２１における背板部分２３と前板部分２２の間からほぼ垂直に上方に延びている仕切り板部分２４と、この仕切り板部分２４および前板部分２２の上端をそれぞれ繋いでいる連結板部分２５とを有している。
【００１６】
背板部分２３、仕切り板部分２４、およびこれらの間の底板部分２１によって、上方に開口するＵ字状断面の樋２が形成されている。連結板部分２５の上面は、背板部分２３に連続している後端側が下方に位置するように傾斜した傾斜面となっている。したがって、ロール表面１０ａから排出される液体は、図１（ａ）において矢印で示すように、連結板部分２５の上面に沿って後側に流下して樋２に流れ落ちる。
【００１７】
また、前板部分２２には千鳥状に多数の液体回収孔３が開いており、これらの液体回収孔３は前板部分２２を貫通して延びている。この前板部分２２と、底板部分２１、連結板部分２５および仕切り板部分２４によって、閉鎖断面の排水路４が形成されている。排水路４はロール１０の幅方向に延びており、その一方の端部には排出口（図示せず）が形成されている。底板部分２１を排水口が形成されている端の側に向けて下方に僅かに傾斜するように配置しておくことが望ましい。
【００１８】
次に、背板部分２３は連結板部分２５よりも上方に延びており、その上端には、グルーブドロール１０の側に向けてほぼ水平に延びる天板部分２６が形成されている。この天板部分２６の前端には、ロール表面１０ａに向かってほぼ垂直に延びる垂直板部分２６１が形成されている。この天板部分２６によって、樋２の上側には、ロール表面１０ａの側に開口した区画室５が形成されている。
【００１９】
また、垂直板部分２６１にはドクター装置３０が下向き姿勢で取り付けられている。ドクター装置３０は、周知のものを使用でき、ロール表面１０ａに圧接されるドクターブレード３１と、このドクターブレード３１をロール表面１０ａに対して圧接した圧接位置およびロールから離した開放位置に旋回可能に保持しているブレードホルダ３２と、このブレードホルダ３２を支持しているドクターバック３３とから構成されている。
【００２０】
ドクターブレード３１の刃先を一定の圧接力で回転するロール表面１０ａに押し付けることにより、ロール表面１０ａに付着している紙滓等の異物、およびロール表面１０ａに残っている液体を取り除くことができる。ドクターブレード３１によって掻き取られた異物などは、区画室３内を自然落下し、天板部分２６の上面に沿って流れる液体によって樋２に洗い流される。
【００２１】
上記構成のセーブオール装置２０では、ロール表面１０ａに付着している液体が樋２に回収され、ここをロール幅方向に流れて外部の所定の部位に回収される。また、そのロール側の部位には閉鎖断面の排水路４が形成されており、当該排水路４の前側を規定している前板部分２２の前面は、ロール表面１０ａに沿って湾曲している湾曲面２２ａとされ、ここに、多数の液体回収孔３が開いている。したがって、ロール１０の回転時には、ロール表面１０ａに付着している液体が、液体回収孔３を介して排水路４にも回収される。排水路４に回収された液体は、その一方の端に向けて流れて、不図示の排出口から外部の所定の部位に回収される。よって、ロール表面１０ａに付着している液体が、樋２および排水路４を介して、効率良く回収される。
【００２２】
また、背板部分２３、その上下の端からロール表面１０ａの側に延びている天板部分２６および底板部分２１によって、ロール表面１０ａの側に開口している区画室５を形成してある。よって、ロール表面１０ａからミスト状に飛散する液体なども確実に回収でき、装置の周辺が汚染されてしまうことを防止できる。
【００２３】
さらに、樋２に対してロール回転方向の下流側（すなわち、樋２の上方の位置）には、ドクター装置３０が配置されている。したがって、ロール表面１０ａに付着している紙滓等の異物、およびロール表面１０ａに残っている液体がドクター装置３０によって掻き落とされて、樋２の側に効率良く回収できる。
【図面の簡単な説明】
【００２４】
【図１】（ａ）および（ｂ）は、本発明を適用した抄紙機を示す概略構成図、およびそのセーブオール装置の一部を拡大して示す説明図である。
【符号の説明】
【００２５】
１  抄紙機
２  樋
３  液体回収孔
４  排水路
５  区画室
１０  グルーブドロール
１０ａ  ロール表面
２０  セーブオール装置
２１  底板部分
２２  前板部分
２３  背板部分
２４  仕切り板部分
２５  連結板部分
２６  天板部分
３０  ドクター装置
Ｐ  紙料
【図１】
2006214022.tif 000003